(57)【要約】【課題】衣類の重量等の衣類の状況の違いがあっても乾燥完了判定にばらつきが生じにくくすることができることを目的とする。【解決手段】一定時間毎に浴室内の温度・湿度を検出し、その検出値から導いた空気に対する衣類の乾きやすさの指標である乾燥性能積分値を算出し、浴室内温度や浴室内絶対湿度や乾燥性能積分値や経過時間を、あらかじめ浴室外の温度や湿度や衣類の重量等、衣類乾燥時に起こるあらゆる状態の変化を考慮し、事前検証および解析を実施することで得られた衣類乾燥率を推定する推定式にあてはめ、衣類乾燥率を推定するので、衣類の重量等の状況の違いがあっても乾燥完了判定にばらつきが生じにくくすることができる浴室換気乾燥機を得られる。【選択図】図２
2014076283.tif 000002
【特許請求の範囲】
【請求項１】
使用者が衣類乾燥運転開始を指示するための操作手段と、浴室内の空気を排出する換気送風手段と、前記浴室内の前記空気を循環する循環送風手段と、前記浴室内の前記空気を加熱する加熱手段と、前記浴室内の温度および湿度を検出する浴室内温湿度検出手段と、前記浴室内温湿度検出手段から検出された温湿度を処理・演算する演算手段と、前記操作手段および前記演算手段により得られた結果より足される運転制御用の信号を受けて前記換気送風手段および前記循環送風手段および前記加熱手段を制御する制御手段と、運転してからの経過時間およびデータを検出し演算を実施する測定間隔を計測するタイマーとを備えた本体であって、前記浴室内温湿度検出手段により検出された検出温度および検出湿度より、前記演算手段によって一定時間毎に浴室内絶対湿度と浴室内比エンタルピーを算出し、前記浴室内比エンタルピーから乾燥対象である衣類表面の衣類表面絶対湿度を推定し、前記浴室内絶対湿度と前記衣類表面絶対湿度との差により浴室内空気乾燥性能を算出し、前記タイマーで計測した経過時間で前記浴室内空気乾燥性能を積分した結果である乾燥性能積分値を算出し、前記検出温度と前記検出湿度と前記乾燥性能積分値と前記経過時間を用い、あらかじめ前記衣類の状況および前記浴室外の温湿度環境を加味した事前検証および解析を実施することで得られた推定式より衣類乾燥率を推定することを特徴とする浴室暖房乾燥機。
【請求項２】
前記循環送風手段にて前記浴室内を循環する前記空気の向きを調整する風向板と、前記風向板を制御する風向制御手段とを備えることを特徴とする請求項１に記載の浴室暖房乾燥機。
【請求項３】
前記風向板を周期的な動作となるよう制御し、その周期を前記衣類乾燥率を推定する周期と同等とすることを特徴とする請求項２に記載の浴室暖房乾燥機。
【請求項４】
前記風向板が、事前に定められた風向になった場合に前記衣類乾燥率を推定することを特徴とする請求項２に記載の浴室暖房乾燥機。
【請求項５】
前記衣類乾燥率とあらかじめ定められた目標乾燥率とを一定時間毎に比較し、前記衣類乾燥率が前記目標乾燥率以上と判断した場合、前記衣類乾燥運転を停止することを特徴とする請求項１〜４のいずれかに記載の浴室暖房乾燥機。
【請求項６】
前記衣類乾燥率と前記目標乾燥率とを一定時間毎に比較し、前記衣類乾燥率が前記目標乾燥率以上と判断した場合、あらかじめ定められた時間で延長運転をした後、前記衣類乾燥運転を停止することを特徴とする請求項１〜４のいずれかに記載の浴室暖房乾燥機。
【請求項７】
前記延長運転の時間を使用者が変更することが可能であることを特徴とする請求項６に記載の浴室暖房乾燥機。
【請求項８】
前記衣類乾燥運転を停止した場合に、前記使用者に前記衣類乾燥運転終了を報知することを特徴とする請求項１〜７のいずれかに記載の浴室暖房乾燥機。
【請求項９】
一定時間毎に前記衣類乾燥率を算出し、前記使用者に現状の乾燥程度を報知することを特徴とする請求項１〜８のいずれかに記載の浴室暖房乾燥機。
【請求項１０】
前記衣類乾燥運転が終了するまでの残時間を算出し、前記使用者に前記残時間を報知することを特徴とする請求項１〜９のいずれかに記載の浴室暖房乾燥機。
【請求項１１】
前記換気送風手段、前記循環送風手段、および前記加熱手段を制御する短時間型衣類乾燥運転と、前記加熱手段の出力を小さくし衣類乾燥運転を行う省エネ型衣類乾燥運転とを選択可能なスイッチを設けたことを特徴とする請求項１〜１０のいずれかに記載の浴室暖房乾燥機。
【発明の詳細な説明】
【技術分野】
【０００１】
本発明は、主に一般家庭における浴室の暖房、換気、および浴室内もしくは浴室に干した洗濯物の乾燥に使用される浴室暖房乾燥機に関するものである。
【背景技術】
【０００２】
従来、この種の浴室暖房乾燥機は、気候、天候等の環境変化に対応し、浴室内空間の大きさ、浴室を形成する材質の違いに影響されることなく衣類の乾燥状態を推定し、適切に乾燥運転を行うものが知られている（例えば、特許文献１参照）。
【０００３】
以下、その浴室暖房乾燥機について図４を参照しながら説明する。
【０００４】
図４に示すように、浴室暖房乾燥機本体１０１は浴室１０２の天井裏面に配置され、浴室１０２内の空気を強制的に排気する換気用送風機１０３と浴室１０２内の空気を循環する循環用送風機１０４と循環用送風機１０４によって循環する空気を加熱する加熱手段１０５とからなり、浴室１０２内の空気の温度および湿度を検出する浴室内温度・湿度検知手段１０６と浴室１０２外の空気の温度および湿度を検知する浴室外温度・湿度検知手段１０７と浴室内温度・湿度検出手段１０６および浴室外温度・湿度検知手段１０７とから得られた温度・湿度データを演算処理する制御部１０８を備え、浴室１０２に設置された乾燥対象である衣類１０９の乾燥速度を推定し、乾燥速度を積分することにより得られる乾燥度から衣類１０９の乾燥状態を推定している。
【先行技術文献】
【特許文献】
【０００５】
【特許文献１】特許第４３０５３４９号公報
【発明の概要】
【発明が解決しようとする課題】
【０００６】
このような従来の浴室暖房乾燥機において、衣類の自動乾燥制御では、浴室内および浴室外の空気の状態から衣類の乾きやすさを判断して衣類の乾燥完了判定をしていたが、衣類重量等の衣類状況の違いによっては乾燥完了判定にばらつきが生じる、という課題を有していた。
【０００７】
そこで本発明は、上記従来の課題を解決するものであり、衣類重量等の衣類の状況の違いがあっても乾燥完了判定にばらつきが生じにくくすることができる浴室暖房乾燥機を提供することを目的とする。
【課題を解決するための手段】
【０００８】
そして、この目的を達成するために、本発明は使用者が衣類乾燥運転開始を指示するための操作手段と、浴室内の空気を排出する換気送風手段と、前記浴室内の前記空気を循環する循環送風手段と、前記浴室内の前記空気を加熱する加熱手段と、前記浴室内の温度および湿度を検出する浴室内温湿度検出手段と、前記浴室内温湿度検出手段から検出された温湿度を処理・演算する演算手段と、前記操作手段および前記演算手段により得られた結果より足される運転制御用の信号を受けて前記換気送風手段および前記循環送風手段および前記加熱手段を制御する制御手段と、運転してからの経過時間およびデータを検出し演算を実施する測定間隔を計測するタイマーとを備えた本体であって、前記浴室内温湿度検出手段により検出された検出温度および検出湿度より、前記演算手段によって一定時間毎に浴室内絶対湿度と浴室内比エンタルピーを算出し、前記浴室内比エンタルピーから乾燥対象である衣類表面の衣類表面絶対湿度を推定し、前記浴室内絶対湿度と前記衣類表面絶対湿度との差により浴室内空気乾燥性能を算出し、前記タイマーで計測した経過時間で前記浴室内空気乾燥性能を積分した結果である乾燥性能積分値を算出し、前記検出温度と前記検出湿度と前記乾燥性能積分値と前記経過時間を用い、あらかじめ前記衣類の状況および前記浴室外の温湿度環境を加味した事前検証および解析を実施することで得られた推定式より衣類乾燥率を推定することとしたものであり、これにより所期の目的を達成するものである。
【発明の効果】
【０００９】
本発明によれば、使用者が衣類乾燥運転開始を指示するための操作手段と、浴室内の空気を排出する換気送風手段と、前記浴室内の前記空気を循環する循環送風手段と、前記浴室内の前記空気を加熱する加熱手段と、前記浴室内の温度および湿度を検出する浴室内温湿度検出手段と、前記浴室内温湿度検出手段から検出された温湿度を処理・演算する演算手段と、前記操作手段および前記演算手段により得られた結果より足される運転制御用の信号を受けて前記換気送風手段および前記循環送風手段および前記加熱手段を制御する制御手段と、運転してからの経過時間およびデータを検出し演算を実施する測定間隔を計測するタイマーとを備えた本体であって、前記浴室内温湿度検出手段により検出された検出温度および検出湿度より、前記演算手段によって一定時間毎に浴室内絶対湿度と浴室内比エンタルピーを算出し、前記浴室内比エンタルピーから乾燥対象である衣類表面の衣類表面絶対湿度を推定し、前記浴室内絶対湿度と前記衣類表面絶対湿度との差により浴室内空気乾燥性能を算出し、前記タイマーで計測した経過時間で前記浴室内空気乾燥性能を積分した結果である乾燥性能積分値を算出し、前記検出温度と前記検出湿度と前記乾燥性能積分値と前記経過時間を用い、あらかじめ前記衣類の状況および前記浴室外の温湿度環境を加味した事前検証および解析を実施することで得られた推定式より衣類乾燥率を推定する、という構成にしたことにより、一定時間毎に浴室内温度および浴室内湿度を検出し、その検出値から導いた空気に対する衣類の乾きやすさの指標である乾燥性能積分値を算出し、前記浴室内温度や前記浴室内湿度や前記乾燥性能積分値や経過時間を、あらかじめ前記浴室外の温度や湿度や衣類の重量等、衣類乾燥時に起こるあらゆる状態の変化を考慮し、事前検証および解析を実施することで得られた衣類乾燥率を推定する推定式にあてはめ、衣類乾燥率を推定することとなるので、衣類の重量等の状況の違いがあっても乾燥完了判定にばらつきが生じにくくすることができる、という効果を得ることができる。
【図面の簡単な説明】
【００１０】
【図１】本発明の実施の形態１の浴室暖房乾燥機を浴室に設置した状態を示す斜視図
【図２】同浴室暖房乾燥機の側断面を示す構成図
【図３】同浴室暖房乾燥機の主要な動作を示す制御手段のブロック図
【図４】同浴室暖房乾燥機の風向板の動作を示す制御手段のブロック図
【図５】本発明の実施の形態２の浴室暖房乾燥機の主要な動作を示す制御手段のブロック図
【図６】本発明の実施の形態３の浴室暖房乾燥機の主要な動作を示す制御手段のブロック図
【図７】従来の浴室暖房乾燥機の断面図
【発明を実施するための形態】
【００１１】
本発明の請求項１記載の浴室暖房乾燥機は、使用者が衣類乾燥運転開始を指示するための操作手段と、浴室内の空気を排出する換気送風手段と、前記浴室内の前記空気を循環する循環送風手段と、前記浴室内の前記空気を加熱する加熱手段と、前記浴室内の温度および湿度を検出する浴室内温湿度検出手段と、前記浴室内温湿度検出手段から検出された温湿度を処理・演算する演算手段と、前記操作手段および前記演算手段により得られた結果より足される運転制御用の信号を受けて前記換気送風手段および前記循環送風手段および前記加熱手段を制御する制御手段と、運転してからの経過時間およびデータを検出し演算を実施する測定間隔を計測するタイマーとを備えた本体であって、前記浴室内温湿度検出手段により検出された検出温度および検出湿度より、前記演算手段によって一定時間毎に浴室内絶対湿度と浴室内比エンタルピーを算出し、前記浴室内比エンタルピーから乾燥対象である衣類表面の衣類表面絶対湿度を推定し、前記浴室内絶対湿度と前記衣類表面絶対湿度との差により浴室内空気乾燥性能を算出し、前記タイマーで計測した経過時間で前記浴室内空気乾燥性能を積分した結果である乾燥性能積分値を算出し、前記検出温度と前記検出湿度と前記乾燥性能積分値と前記経過時間を用い、あらかじめ前記衣類の状況および前記浴室外の温湿度環境を加味した事前検証および解析を実施することで得られた推定式より衣類乾燥率を推定する、という構成を有する。これにより、一定時間毎に浴室内温度および浴室内湿度を検出し、その検出値から導いた空気に対する衣類の乾きやすさの指標である乾燥性能積分値を算出し、前記浴室内温度や前記浴室内湿度や前記乾燥性能積分値や経過時間を、あらかじめ前記浴室外の温度や湿度や衣類の重量等、衣類乾燥時に起こるあらゆる状態の変化を考慮し、事前検証および解析を実施することで得られた衣類乾燥率を推定する推定式にあてはめ、衣類乾燥率を推定することとなるので、衣類の重量等の状況の違いがあっても乾燥完了判定にばらつきが生じにくくすることができる、という効果を奏する。
【００１２】
また、前記循環送風手段にて前記浴室内を循環する前記空気の向きを調整する風向板と、前記風向板を制御する風向制御手段とを備える、という構成にしてもよい。これにより、効率的に衣類に風を当てることとなるので、衣類の乾燥を促進することができる、という効果を奏する。
【００１３】
また、前記風向板を周期的な動作となるよう制御し、その周期を前記衣類乾燥率を推定する周期と同等とする、という構成にしてもよい。これにより、衣類乾燥率を推定する際の風向がほぼ一律となるので、推定値のばらつきを小さくすることができる、という効果を奏する。
【００１４】
また、前記風向板が、事前に定められた風向になった場合に前記衣類乾燥率を推定する、という構成にしてもよい。これにより、衣類乾燥率を推定する際の風向が一意となるので、推定値のばらつきを更に小さくすることができる、という効果を奏する。
【００１５】
また、前記衣類乾燥率とあらかじめ定められた目標乾燥率とを一定時間毎に比較し、前記衣類乾燥率が前記目標乾燥率以上と判断した場合、前記衣類乾燥運転を停止する、という構成にしてもよい。これにより、衣類が適切に乾燥した状態で衣類乾燥運転を停止することとなるので、衣類が未乾燥および過乾燥状態になるのを防ぎ、適切な乾燥運転を行い、必要以上にランニングコストがかかることを防ぐことができる、という効果を奏する。
【００１６】
また、前記衣類乾燥率と前記目標乾燥率とを一定時間毎に比較し、前記衣類乾燥率が前記目標乾燥率以上と判断した場合、あらかじめ定められた時間で延長運転をした後、前記衣類乾燥運転を停止する、という構成にしてもよい。これにより、衣類が完全に乾燥した状態で衣類乾燥運転を停止することとなるので、ランニングコストは必要以上にかかることになるが、衣類は過乾燥状態になり、乾燥の程度としては良化させることができる、という効果を奏する。
【００１７】
また、前記延長運転の時間を使用者が変更することが可能である、という構成にしてもよい。これにより、使用者が延長時間の調整をすることとなるので、使用環境および使用者の好みなどに合わせて運転時間や運転終了時の衣類の乾燥程度を調整することができる、という効果を奏する。
【００１８】
また、前記衣類乾燥運転を停止した場合に、前記使用者に衣類乾燥運転終了を報知する、という構成にしてもよい。これにより、衣類乾燥運転を停止した場合、使用者に衣類乾燥運転終了を報知することとなるので、衣類乾燥終了後に浴室内に衣類を放置することを防ぐことができる、という効果を奏する。
【００１９】
また、一定時間毎に前記衣類乾燥率を算出し、前記使用者に現在の乾燥程度を報知する、という構成にしてもよい。これにより、一定時間毎に使用者に現在の衣類乾燥率を報知することとなるので、使用者が衣類に直接触れなくとも、簡単に衣類の乾燥状態を確かめることができる、という効果を奏する。
【００２０】
また、前記衣類乾燥運転が終了するまでの残時間を算出し、前記使用者に前記残時間を報知する、という構成にしてもよい。これにより、一定時間毎に使用者に衣類乾燥運転終了までに必要な残時間を報知することとなるので、使用者は乾燥運転の終了予定時間を認識することができるとともに、使い勝手を向上することができる、という効果を奏する。
【００２１】
また、前記換気送風手段、前記循環送風手段、および前記加熱手段を制御し、短時間で前記衣類を乾燥させる短時間型衣類乾燥運転と、前記加熱手段からの出力を小さくするように制御し、短時間型衣類乾燥運転よりも時間はかかるが、使用するエネルギーを抑えることでランニングコストを抑える運転を行う省エネ型衣類乾燥運転とを選択可能なスイッチを設けた、という構成にしてもよい。これにより、使用者が好みや必要に応じて短時間型衣類乾燥運転と省エネ型乾燥運転のいずれかを選択することとなるので、使用者が好みや必要に応じて、衣類の乾燥にかかる時間とランニングコストを選択する幅を広げることができる、という効果を奏する。
【００２２】
以下、本発明の実施の形態について図面を参照しながら説明する。
【００２３】
（実施の形態１）
図１に示すように、浴室１は浴槽２と、浴槽２と壁などで分断されていない空間である洗い場空間３とを備え、天井面４には点検口５および開口部６があり、図２に示す浴室１の天井裏空間７に浴室暖房乾燥機を形成する本体８を設け、開口部６を介して浴室１に連通している。
【００２４】
なお、図１に示す点検口５は洗い場空間３の直上、開口部６は浴槽２の直上に位置している。
【００２５】
また、図２に示すように浴室暖房乾燥機は、浴室１の天井面４にパネル９が設置され、パネル９は吸込口１０と吹出口１１を備え、浴室暖房乾燥機の本体８は、吸込口１０の近傍に浴室１の空気を吸込口１０から取り入れた空気を加熱する空気加熱手段としての温水を用いた熱交換器１２と、熱交換器１２に対して下流側に空気を循環させる循環送風手段としての循環ファンモータ１３とを備えており、循環ファンモータ１３が駆動することにより、吸込口１０から取り入れた空気は熱交換器１２により加熱され温風となる。前記温風は、循環ファンモータ１３により浴室１に空気を送風する吹出口１１までを繋ぐ通風路１４を通過し吹出口１１に到達する。
【００２６】
さらに、前記温風は、吹出口１１から送風された風向を変化させる風向制御手段としての風向板１５と、前記風向板１５を稼動させる手段としてのモータ好ましくはステッピングモータ（図示せず）により、浴室１の任意の方向へ送風することができる。
【００２７】
なお、循環ファンモータ１３として、ファンは例えばシロッコファンを用い、モータはＤＣを用いている。
【００２８】
なお、本実施の形態１において、浴室暖房乾燥機の本体８に浴室１をサウナ空間とすることができる加湿手段を設けても良い。
【００２９】
なお、本実施の形態１では空気加熱手段として温水を用いた熱交換器１２を用いたが、熱交換器１２に換えてＰＴＣヒータ、ハロゲンヒータ、シーズヒータ等他の電気式ヒータでもよい。
【００３０】
そして、前記浴室暖房乾燥機は、本体８の点検口５側の外部に浴室１の空気を屋外に排出する換気手段としての換気ファンモータ１６を備えた換気部１７をねじ止めさせて設け、換気部１７と本体８を連通し連通する開口形状（開口面積に相当）を調節するダンパ１８を備え、浴室１の換気を行うことができる。
【００３１】
なお、ダンパ１８なし、本体８内部に換気手段を備えた浴室暖房乾燥機、または外部換気装置と浴室暖房乾燥機とをダクト配管を介して連通する構成でも良い。
【００３２】
また、前記浴室暖房乾燥機は、運転の制御および演算を行なう制御手段としての電装基板１９と、電装基板１９に接続され、運転開始からの経過時間を計測するタイマー２０と、前記浴室暖房乾燥機を脱衣室２１内から操作し運転状態を表示する操作手段としての脱衣室リモコン２２とを備え、脱衣室リモコン２２からの操作により、浴室暖房乾燥機の運転を行うことができる。
【００３３】
また、前記浴室暖房乾燥機は、浴室内温湿度検知手段としての浴室内温湿度センサ２３を備えており、浴室内温湿度センサ２３より検出された値を、演算手段２４により演算し、空気の乾燥性能を算出している。
【００３４】
なお、浴室内温湿度センサ２３は本体８の内部に、演算手段２４は電装基板１９の内部に設けられていてもよい。
【００３５】
また、パネル９の直下に物干しバー２５が設置され、物干しバー２５に乾燥対象衣類２６が設置されている。
【００３６】
上記構成において、主要な動作を図３を用いて説明する。脱衣室リモコン２２を操作することにより衣類乾燥運転を開始すると、ＳＴＥＰ１で浴室内温湿度センサ２３により浴室内温度Ｔｒと浴室内相対湿度Ｈｒが検出される。ＳＴＥＰ２により、測定間隔ｔａ（例えば、１分間程度）が経過していると判断されると、ＳＴＥＰ３に移行する。測定間隔ｔａが経過していない場合は、検知間隔ｔｏ（例えば、１秒間程度）で浴室内温度Ｔｒと浴室内相対湿度Ｈｒの検知を繰り返す。ＳＴＥＰ３で浴室内温度Ｔｒおよび浴室内相対湿度Ｈｒを用いて、演算手段２４により浴室内絶対湿度Ｘｒが算出される。
【００３７】
そして、ＳＴＥＰ４にて乾燥性能Ｄｘを算出するが、ここで算出方法に関して詳しく説明する。浴室内温度Ｔｒおよび浴室内相対湿度Ｈｒを用いて、浴室内比エンタルピーＩｒが算出できる。浴室内比エンタルピーＩｒは空気の持っている熱量と考えることができ、浴室内の空気が一様だとすると、浴室内比エンタルピーＩｒと衣類近傍比エンタルピーＩｃは等しいと考えられる。ここで衣類近傍相対湿度Ｈｃについて考えると、衣類乾燥運転中、乾燥対象衣類２６内部の水分は空気中に発散し続けているため、衣類近傍相対湿度Ｈｃは１００％であると考えられ、浴室内比エンタルピーＩｒと衣類近傍比エンタルピーＩｃと衣類近傍相対湿度Ｈｃの関係より、衣類近傍絶対湿度Ｘｃが推定される。これらの手順によって、乾燥性能Ｄｘは（式１）のように算出できる。
【００３８】
Ｄｘ＝（Ｘｃ−Ｘｒ）                            ・・・（式１）
ここで、浴室内温度Ｔｒと浴室内相対湿度Ｈｒが検出されてから、乾燥性能Ｄｘを算出するまでにいくつかの演算が必要であるが、浴室内温度Ｔｒと浴室内相対湿度Ｈｒから乾燥性能Ｄｘを直接算出できるような演算式を用いてもよい。
【００３９】
次にＳＴＥＰ５にて乾燥性能Ｄｘを経過時間ｔで積分した、乾燥性能積分値ＤＰを
（式２）より算出する。
【００４０】
ＤＰ＝∫Ｄｘｔ                                        ・・・（式２）
そして、ＳＴＥＰ６であらかじめ乾燥対象衣類２６の状況および浴室１外の温湿度環境を加味した事前検証および解析を実施することで得られた推定式（式３）より衣類乾燥率ＤＦを算出する。ここで、（式３）における、α、β、γ、δ、ε、ζはそれぞれ定数である。これにより、衣類の重量等の状況の違いがあっても乾燥完了判定にばらつきが生じにくくすることができる。
【００４１】
ＤＦ＝αｔ＋βＴｒ＋γＸｒ＋σＤＰ＋（ＤＰ−ε）2＋ζ          ・・・（式３）
また、循環送風手段としての循環ファンモータ１３にて浴室１内を循環する前記空気の向きを調整する例えばＡＢＳ製の風向板１５と、風向板１５を制御する電装基板１９としての風向制御手段２７とを備える。
【００４２】
そして、風向板１５を周期的な動作となるよう制御し、その周期を前記衣類乾燥率すなわち衣類乾燥率ＤＦを推定する周期と同等とする、という方法を取ってもよい。
【００４３】
ここで、図４を用いて、風向板の動作を説明する。図４に示すように、風向板１５は初期位置ＬＳ（例えば、乾燥対象衣類２６の中央付近に前記空気が当たる位置）へ移動した後、特定の位置Ｌ１（例えば、乾燥対象衣類２６の片方の端部付近に前記空気が当たる位置）に移動し、さらに別の位置Ｌ２（例えば、乾燥対象衣類２６のもう一方の端部付近に前記空気が当たる位置）に移動し、その後、再びＬＳに戻り、同様の動作を繰り返すことにより、風向板１５は周期的に乾燥対象衣類２６の全体に前記空気が行き渡るように動作することとなる。この周期を衣類乾燥率ＤＦを推定する周期ｔａとする。
【００４４】
これにより、衣類乾燥率ＤＦを推定する際の風向板１５の位置が毎回ほぼ同じになるため、推定値のばらつきを小さくすることができる。
【００４５】
再び、図３を用いて、主要な動作の説明を行う。ＳＴＥＰ６で衣類乾燥率ＤＦを算出した後、ＳＴＥＰ７で衣類乾燥率ＤＦと目標乾燥率ＴＤＦとを比較し、衣類乾燥率ＤＦが目標乾燥率ＴＤＦ（例えば、１００％）以上と判断した場合、衣類乾燥運転を停止する。
【００４６】
これにより、乾燥対象衣類２６が適切に乾燥した状態で衣類乾燥運転を停止することとなるので、乾燥対象衣類２６が未乾燥および過乾燥状態になるのを防ぎ、適切な乾燥運転を行い、必要以上にランニングコストがかかることを防ぐことができる。
【００４７】
また、衣類乾燥運転を停止した場合に、使用者に衣類乾燥運転終了を報知する、という構成にする。
【００４８】
報知の方法としては、音声で報知する方法や、脱衣室リモコン２２で運転終了のランプ（図示せず）を点灯させるもしくは運転中に点灯していたランプを消灯するという方法などがある。
【００４９】
これにより、衣類乾燥運転が停止した場合、使用者に衣類乾燥運転終了を報知することとなるので、衣類乾燥終了後に浴室内に衣類を放置することを防ぐことができる。
【００５０】
また、一定時間（例えば、１分間程度）毎に衣類乾燥率ＤＦを算出し、使用者に現状の乾燥程度を報知する、という構成にする。報知の方法としては音声で報知する方法や、脱衣室リモコンに乾燥の程度を表示する方法などがある。
【００５１】
これにより、一定時間毎に使用者に現在の衣類乾燥率を報知することとなるので、使用者が衣類に直接触れなくとも、簡単に衣類の乾燥状態を確かめることができる。
【００５２】
また、衣類乾燥運転が終了するまでの残時間を算出し、使用者に残時間を報知する、という構成にする。報知の方法としては音声で報知する方法や、脱衣室リモコンに表示する方法などがある。
【００５３】
これにより、使用者に衣類乾燥運転終了までに必要な残時間を報知することとなるので、使用者は乾燥運転の終了予定時間を認識することができるとともに、使い勝手を向上することができる。
【００５４】
また、換気ファンモータ１６、循環ファンモータ１３、および熱交換器１２を制御する短時間型衣類乾燥運転（例えば、１、２時間程度）と、熱交換器１２の出力を小さくし時間をかけて衣類乾燥運転を行う省エネ型衣類乾燥運転とを選択可能なスイッチ（図示せず）を設ける、という構成にする。
【００５５】
また、スイッチは脱衣室リモコン２２に設ける。
【００５６】
これにより、使用者が好みや必要に応じて短時間型衣類乾燥運転と省エネ型乾燥運転のいずれかを選択することとなるので、使用者が好みや必要に応じて、乾燥対象衣類２６の乾燥にかかる時間とランニングコストを選択する幅を広げることができる。
【００５７】
（実施の形態２）
実施の形態１と同じ構成の箇所は同じ符号を付与し、詳細な説明は省略する。
【００５８】
実施の形態１と異なるところは、衣類乾燥率ＤＦと目標乾燥率ＴＤＦとを一定時間（例えば、１分間程度）毎に比較し、衣類乾燥率ＤＦが目標乾燥率ＴＤＦ（例えば、１００％）以上と判断した場合、衣類乾燥運転を停止するというのを、衣類乾燥率ＤＦが目標乾燥率ＴＤＦ以上と判断しても運転を停止せず、あらかじめ定められた時間、延長運転を実施した後、衣類乾燥運転を停止する、という構成にしたものである。
【００５９】
図５に示すように、ＳＴＥＰ１から８に従って衣類乾燥率ＤＦが標乾燥率ＴＤＦ以上と判断した後、延長運転を開始し、その後、延長時間ｔｅ（例えば、１５〜３０分程度）が経過したら運転を停止する。
【００６０】
これにより、衣類が完全に乾燥した状態で衣類乾燥運転を停止することとなるので、ランニングコストが余剰にかかることにはなるが、衣類は過乾燥状態になり、乾燥の程度としては良化させることができる。
【００６１】
また、延長時間ｔｅを使用者が変更することが可能にする構成にする。
【００６２】
これにより、使用者が延長時間の調整をすることとなるので、使用環境および使用者の好みなどに合わせて運転時間や運転終了時の衣類の乾燥程度を調整することができる。
【００６３】
（実施の形態３）
実施の形態１、２と同じ構成の箇所は同じ符号を付与し、詳細な説明は省略する。
【００６４】
実施の形態１、２と異なるところは、風向板１５を周期的な動作となるよう制御し、その周期を前記衣類乾燥率すなわち衣類乾燥率ＤＦを推定する周期と同等とするというのを、風向板１５が、事前に定められた風向板の位置になった場合に衣類乾燥率ＤＦを推定する、という構成にしたものである。
【００６５】
図３においては、測定時間ｔａ毎に衣類乾燥率ＤＦを推定しているが、図５においては風向板１５の位置がある特定の位置ＬＴになった場合に衣類乾燥率ＤＦを推定する。
【００６６】
これにより、衣類乾燥率ＤＦを推定する際の風向が一意に定まるため、さらに推定値のばらつきを小さくすることが可能となる。
【産業上の利用可能性】
【００６７】
本発明にかかる浴室暖房乾燥機は、衣類重量等の衣類の状況の違いがあっても乾燥完了判定にばらつきが生じにくくすることを可能とするものであるので、浴室のみでなく、浴室以外の乾燥室などを利用して衣類の乾燥を行う乾燥機等として有用である。
【符号の説明】
【００６８】
１    浴室
２    浴槽
３    洗い場空間
４    天井面
５    点検口
６    開口部
７    天井裏空間
８    本体
９    パネル
１０  吸込口
１１  吹出口
１２  熱交換器
１３  循環ファンモータ
１４  通風路
１５  風向板
１６  換気ファンモータ
１７  換気部
１８  ダンパ
１９  電装基板
２０  タイマー
２１  脱衣室
２２  脱衣室リモコン
２３  浴室内温湿度センサ
２４  演算手段
２５  物干しバー
２６  乾燥対象衣類
２７  風向制御手段
【図１】
2014076283.tif 000003
【図２】
2014076283.tif 000004
【図３】
2014076283.tif 000005
【図４】
2014076283.tif 000006
【図５】
2014076283.tif 000007
【図６】
2014076283.tif 000008
【図７】
2014076283.tif 000009